【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
走行方向及び厚さ方向に直交する幅方向の少なくとも一端部に切欠き部を有するベルトと、
搬送されるシートの端部を押圧可能な爪と、前記切欠き部に入り込んで前記ベルトを挟持することにより前記爪を前記ベルトに取り付ける挟持部と、を有する爪部材と、
前記ベルトを駆動させる駆動部と、を備える、
ことを特徴とするシート搬送装置。
【請求項２】
前記挟持部は、前記切欠き部に入り込むことにより、前記ベルトの前記幅方向の両端部よりも内側に位置する、
ことを特徴とする請求項１記載のシート搬送装置。
【請求項３】
前記ベルトは、歯を有し、
前記挟持部は、前記歯に係合することにより、前記ベルトに対して少なくとも前記走行方向に固定される係合部を有する、
ことを特徴とする請求項１または２に記載のシート搬送装置。
【請求項４】
前記切欠き部は、前記ベルトの前記幅方向の両端部に形成された切欠きを有し、
前記挟持部は、それぞれの前記切欠きに入り込んで、前記ベルトを前記幅方向から挟持する一対の挟持体を有する、
ことを特徴とする請求項１乃至３のいずれか１項に記載のシート搬送装置。
【請求項５】
前記切欠き部は、前記ベルトの前記幅方向の一端部に形成された切欠きを有し、
前記挟持部は、前記切欠きに入り込むと共に、前記ベルトを前記厚さ方向から挟持する挟持圧により前記爪部材の前記幅方向の位置を固定する単一の挟持体を有する、
ことを特徴とする請求項１乃至３のいずれか１項に記載のシート搬送装置。
【請求項６】
前記ベルトが巻き掛けられ、前記駆動部によって駆動される駆動プーリと、
前記ベルトが巻き掛けられ、前記ベルトに従動する従動プーリと、
少なくとも前記駆動プーリもしくは前記従動プーリに設けられ、前記ベルトの前記幅方向の端部と当接して前記ベルトの前記幅方向への移動を規制するフランジと、を備える、
ことを特徴とする請求項１乃至５のいずれか１項に記載のシート搬送装置。
【請求項７】
前記ベルトが巻き掛けられ、前記駆動部によって駆動される駆動プーリと、
前記ベルトが巻き掛けられ、前記ベルトに従動する従動プーリと、
前記挟持部は、前記ベルトの前記走行方向に、前記駆動プーリ及び前記従動プーリのうちの最小径のプーリの最小径ピッチ円の直径以上、かつ前記駆動プーリ及び前記従動プーリのうちの最大径プーリの最大径ピッチ円の直径以下のピッチ円を描く曲率を有する、
ことを特徴とする請求項１乃至６のいずれか１項に記載のシート搬送装置。
【請求項８】
ベルトと、
前記ベルトが巻き掛けられる駆動プーリと、
前記駆動プーリを駆動して前記ベルトを走行させる駆動部と、
搬送されるシートの端部を押圧可能に前記ベルトに固定され、前記ベルトが走行することで、前記シートを搬送可能な爪部と、を備え、
前記ベルトは、走行方向と直交する幅方向の端に切欠き部を有し、
前記爪部は、前記切欠き部に入り込み、前記ベルトを挟持可能な挟持部を有する、
ことを特徴とするシート搬送装置。
【請求項９】
前記挟持部は、前記切欠き部に入り込むことにより、前記ベルトの前記幅方向の両端部よりも内側に位置する、
ことを特徴とする請求項８記載のシート搬送装置。
【請求項１０】
前記ベルトは、歯を有し、
前記挟持部は、前記歯に係合することにより、前記ベルトに対して少なくとも前記走行方向に固定される係合部を有する、
ことを特徴とする請求項８又は９に記載のシート搬送装置。
【請求項１１】
前記切欠き部は、前記ベルトの前記幅方向の両端部に形成された切欠きを有し、
前記挟持部は、それぞれの前記切欠きに入り込んで、前記ベルトを前記幅方向から挟持する一対の挟持体を有する、
ことを特徴とする請求項８乃至１０のいずれか１項に記載のシート搬送装置。
【請求項１２】
前記切欠き部は、前記ベルトの前記幅方向の一端部に形成された切欠きを有し、
前記挟持部は、前記切欠きに入り込むと共に、前記ベルトを前記厚さ方向から挟持する挟持圧により前記爪部の前記幅方向の位置を固定する単一の挟持体を有する、
ことを特徴とする請求項８乃至１０のいずれか１項に記載のシート搬送装置。
【請求項１３】
前記ベルトが巻き掛けられ、前記ベルトに従動する従動プーリと、
少なくとも前記駆動プーリもしくは前記従動プーリに設けられ、前記ベルトの前記幅方向の端部と当接して前記ベルトの前記幅方向への移動を規制するフランジと、を備える、
ことを特徴とする請求項８乃至１２のいずれか１項に記載のシート搬送装置。
【請求項１４】
前記ベルトが巻き掛けられ、前記ベルトに従動する従動プーリと、
前記挟持部は、前記ベルトの前記走行方向に、前記駆動プーリ及び前記従動プーリのうちの最小径のプーリの最小径ピッチ円の直径以上、かつ前記駆動プーリ及び前記従動プーリのうちの最大径プーリの最大径ピッチ円の直径以下のピッチ円を描く曲率を有する、
ことを特徴とする請求項８乃至１３のいずれか１項に記載のシート搬送装置。
【請求項１５】
走行方向に延びると共に、前記走行方向における一部が前記走行方向に直交する幅方向に凹んで切欠き部を形成した側端部を有するベルトと、
搬送されるシートの端部と当接すると共に、少なくとも一部が前記切欠き部内に配設されて前記ベルトに取り付けられた当接部材と、
前記ベルトの側端部と当接して前記ベルトの幅方向位置を規制する規制部と、
前記ベルトを駆動する駆動部と、を備えた、
ことを特徴とするシート搬送装置。
【請求項１６】
前記ベルトは、前記走行方向において、前記当接部材が前記規制部を通過するように前記駆動部によって回転される、
ことを特徴とする請求項１５記載のシート搬送装置。
【請求項１７】
前記ベルトは、前記走行方向及び幅方向に直交する厚さ方向における第１面と、前記第１面とは反対の第２面とを含み、
前記当接部材は、前記第１面側に配置された第１部分と、前記第２面側に配置された第２部分とを含み、前記第１部分と前記第２部分とは、前記切欠き部を介して連結されている、
ことを特徴とする請求項１５又は１６記載のシート搬送装置。
【請求項１８】
シート束に後処理を行う後処理部と、
前記後処理部により後処理が行われたシート束を搬送する請求項１乃至１５のいずれか１項に記載のシート搬送装置と、を備える、
ことを特徴とするシート処理装置。
【請求項１９】
シートに画像を形成する画像形成装置本体と、
請求項１８に記載のシート処理装置と、を備える、
ことを特徴とする画像形成装置。
【請求項２０】
シートに画像を形成する画像形成部と、
前記画像形成部で画像が形成されたシート又はシート束を搬送する請求項１乃至１５のいずれか１項に記載のシート搬送装置と、を備える、
ことを特徴とする画像形成装置。
【手続補正２】
【補正対象書類名】明細書
【補正対象項目名】０００７
【補正方法】変更
【補正の内容】
【０００７】
本発明のシート搬送装置は、走行方向及び厚さ方向に直交する幅方向の少なくとも一端部に切欠き部を有するベルトと、搬送されるシートの端部を押圧可能な爪と、前記切欠き部に入り込んで前記ベルトを挟持することにより前記爪を前記ベルトに取り付ける挟持部と、を有する爪部材と、前記ベルトを駆動させる駆動部と、を備えることを特徴とする。
また、本発明のシート搬送装置は、ベルトと、前記ベルトが巻き掛けられる駆動プーリと、前記駆動プーリを駆動して前記ベルトを走行させる駆動部と、搬送されるシートの端部を押圧可能に前記ベルトに固定され、前記ベルトが走行することで、前記シートを搬送可能な爪部と、を備え、前記ベルトは、走行方向と直交する幅方向の端に切欠き部を有し、前記爪部は、前記切欠き部に入り込み、前記ベルトを挟持可能な挟持部を有する、ことを特徴とする。
更に、本発明のシート搬送装置は、走行方向に延びると共に、前記走行方向における一部が前記走行方向に直交する幅方向に凹んで切欠き部を形成した側端部を有するベルトと、搬送されるシートの端部と当接すると共に、少なくとも一部が前記切欠き部内に配設されて前記ベルトに取り付けられた当接部材と、前記ベルトの側端部と当接して前記ベルトの幅方向位置を規制する規制部と、前記ベルトを駆動する駆動部と、を備えた、ことを特徴とする。